(57)【要約】【課題】  履物の物品を製造する方法を提供する。【解決手段】    履物の物品を製造する方法であって、靴型にアッパーを位置決めするステップであって、前記靴型は該靴型における１以上のチャネルによって接続された開口部を画定する、ステップと、前記靴型における前記１以上のチャネルを通じて材料を注入するステップと、前記材料で前記アッパーに構造体を形成するステップとを備える方法を提供する。【選択図】図１
2020015317.tif 000002
【特許請求の範囲】
【請求項１】
履物の物品を製造する方法であって、
靴型にアッパーを位置決めするステップであって、前記靴型は該靴型における１以上のチャネルによって接続された開口部を画定する、ステップと、
前記靴型における前記１以上のチャネルを通じて材料を注入するステップと、
前記材料で前記アッパーに構造体を形成するステップと
を備える方法。
【請求項２】
前記構造体がミッドソールを備える、請求項１に記載の方法。
【請求項３】
前記構造体がアッパーのパディングを備える、請求項１に記載の方法。
【請求項４】
前記開口部が、前記靴型の上部に注入口及び前記靴型の底部に排出口を備える、請求項１に記載の方法。
【請求項５】
着用者に関連付けられたデータに基づいて、前記構造体をカスタマイズするステップをさらに備える請求項１に記載の方法。
【請求項６】
前記靴型が前記靴型の底部分にキャビティを画定する、請求項１に記載の方法。
【請求項７】
前記キャビティが、前記靴型の長さの大部分及び前記靴型の幅の大部分に延在する、請求項６に記載の方法。
【請求項８】
前記アッパーに前記構造体を形成するステップが、前記キャビティにインソールを形成するステップを備える、請求項７に記載の方法。
【請求項９】
前記靴型が、彫刻加工されたフィーチャ及びエンボス加工されたフィーチャの少なくとも一方を有するパターンを備える、請求項１に記載の方法。
【請求項１０】
履物の物品を製造する方法であって、
靴型にアッパーを位置決めするステップと、
前記靴型を通じて材料を注入するステップと、
単一の連続処理において前記材料でアッパーのパディング及びミッドソールを形成するステップと
を備える方法。
【請求項１１】
前記靴型を通じて第２の材料を注入するステップをさらに備える請求項１０に記載の方法。
【請求項１２】
前記アッパーのパディングを成形するようにモジュール付属物を用いるステップをさらに備える請求項１０に記載の方法。
【請求項１３】
着用者に関連付けられた足のデータを取得するステップをさらに備える請求項１０に記載の方法。
【請求項１４】
前記ミッドソール及び前記アッパーのパディングをカスタマイズするように、前記着用者に関連付けられた前記足のデータを用いるステップをさらに備える請求項１３に記載の方法。
【請求項１５】
アッパーと、
前記アッパーに配設された単回注入ミッドソール及びパディングと
を備えた履物の物品であって、
前記単回注入ミッドソール及びパディングが前記アッパーとは異なる、履物の物品。
【請求項１６】
前記パディングが前記アッパーの外側に配設される、請求項１５に記載の履物の物品。
【請求項１７】
前記パディングが前記アッパーの内側に配設される、請求項１５に記載の履物の物品。
【請求項１８】
前記パディングが、着用者に関連付けられた足のデータに基づいてカスタマイズされる、請求項１５に記載の履物の物品。
【請求項１９】
前記ミッドソールが複数の材料を備える、請求項１５に記載の履物の物品。
【請求項２０】
前記ミッドソールが複数密度の材料を備える、請求項１５に記載の履物の物品。
【発明の詳細な説明】
【技術分野】
【０００１】
本発明の実施形態は、概略として、履物の構成要素に関し、より具体的には、靴型などの３Ｄ体の種々のポートを通じて注入されるポリマー材料から作製される履物の構成要素に関する。
【背景技術】
【０００２】
ミッドソール、アウトソール及びスパイクプレートなどの種々の履物の構成要素を作製する履物の製造には、射出成型が用いられる。射出成型の公知の使用においては、材料が、成型プレートのセットのインゲートを通じて注入され、成型プレートのスタイルに基づいて成形される。これらのシステムは、履物の構成要素を創造性豊かに形作り及び成形するには柔軟性に欠けているため、製造に限界がある（例えば、成型プレートの形状への限界、処理に最適な材料への限界など）。さらに、処理が、煩雑であり時間が掛かる。したがって、効率的でカスタマイズ可能でありかつ迅速な態様で履物の構成要素の成形を向上させる必要がある。
【発明の概要】
【０００３】
パディング（padding）及びミッドソール構造体を有する履物と、さらにそのような履物の構成要素を作製する方法とが開示される。ある実施形態では、履物の構成要素は、靴型などの３Ｄ体の種々のポートを通じて注入される少なくとも１つのポリマー材料から作製される。履物の構成要素は、限定されることなく、ミッドソール、ヒールカウンタ、足首及び踵のパディング、内側及び外側支持部、並びに他の内部又は外部構造体を含む。ある実施形態では、履物の構成要素は、構造内にチャネルを有する靴型を通じて少なくとも１つのポリマー材料を注入することによって作製される。ある実施形態では、チャネルは、材料が吐出して所望の履物の構成要素を形成する開口部を含む。ある実施形態では、履物の構成要素は、編み靴下又は同様の材料などの３Ｄ履物アッパー構成要素及びその周辺に形成される。
【０００４】
ある実施形態では、履物の物品を製造する方法は、靴型にアッパーを位置決めするステップを含む。ある実施形態では、靴型は、靴型における１以上のチャネルによって接続された開口部を画定する。ある実施形態では、履物の物品を製造する方法は、靴型における１以上のチャネルを通じて材料を注入するステップと、材料でアッパーに構造体を形成するステップとを含む。
【０００５】
ある実施形態では、構造体はミッドソールを含む。ある実施形態では、構造体は、アッパーのパディングを含む。ある実施形態では、開口部は、靴型の上部に注入口及び靴型の底部に排出口を含む。
【０００６】
ある実施形態では、方法は、着用者に関連付けられたデータに基づいて構造体をカスタマイズするステップを含む。ある実施形態では、構造体をカスタマイズするステップは、構造体の位置をカスタマイズするステップを含む。ある実施形態では、構造体をカスタマイズするステップは、構造体の形状をカスタマイズするステップを含む。ある実施形態では、構造体をカスタマイズするステップは、構造体の材料をカスタマイズするステップを含む。ある実施形態では、方法は、着用者に関連付けられたデータに基づいてアッパーをカスタマイズするステップを含む。
【０００７】
ある実施形態では、靴型は、靴型の底部分にキャビティを画定する。ある実施形態では、キャビティは、靴型の長さの大部分及び靴型の幅の大部分に延在する。ある実施形態では、アッパーに構造体を形成するステップは、キャビティにインソールを形成するステップを含む。
【０００８】
ある実施形態では、靴型は、彫刻加工されたフィーチャ及びエンボス加工されたフィーチャの少なくとも一方を有するパターンを含む。
【０００９】
ある実施形態では、履物の物品を製造する方法は、靴型にアッパーを位置決めするステップと、靴型を通じて材料を注入するステップと、単一の連続処理において材料でアッパーのパディング及びミッドソールを形成するステップとを含む。ある実施形態では、方法は、靴型を通じて第２の材料を注入するステップを含む。ある実施形態では、方法は、アッパーのパディングを成形するようにモジュール付属物を用いるステップを含む。ある実施形態では、方法は、着用者に関連付けられた足のデータを取得するステップを含む。ある実施形態では、方法は、ミッドソール及びアッパーのパディングをカスタマイズするように着用者に関連付けられた足のデータを用いるステップを含む。
【００１０】
ある実施形態では、履物の物品は、アッパーと、アッパーに配設された単回注入ミッドソール及びパディングとを含む。ある実施形態では、単回注入ミッドソール及びパディングは、アッパーとは異なる。ある実施形態では、パディングは、アッパーの外側に配設される。ある実施形態では、パディングは、アッパーの内側に配設される。ある実施形態では、パディングは、着用者に関連付けられた足のデータに基づいてカスタマイズされる。ある実施形態では、ミッドソールは複数の材料を含む。ある実施形態では、ミッドソールは複数密度（multi-density）の材料を含む。
【００１１】
ある実施形態では、靴型は、注入開口部から排出開口部に延在するチャネルを画定する本体を含む。ある実施形態では、靴型の本体は、複数のチャネルを画定する。ある実施形態では、靴型は、本体の外面に１以上のパターンを含む。ある実施形態では、パターンは、外面にエンボス加工される。ある実施形態では、パターンは、外面に彫刻加工される。ある実施形態では、パターンは、エンボス加工及び彫刻加工されたフィーチャを含む。ある実施形態では、パターンは、リッジ部、すなわち隆起した構造体を含む。ある実施形態では、パターンは、踵領域、中間足領域及び前足領域の１以上に配設される。ある実施形態では、パターンは、靴型の先芯、バンプ、クォータ又はタン領域の１以上に配設される。
【００１２】
ここに組み込まれ明細書の一部を構成する添付図面は、本発明を示し、説明とともに、さらに発明の原理を説明し、関連技術の当業者が発明を製造及び使用することを可能とする。
【図面の簡単な説明】
【００１３】
【図１】図１は、ある実施形態による靴型の側面図を示す。
【図２】図２は、ある実施形態による履物の物品を製造する方法を示す。
【図３】図３は、ある実施形態による足首のパディングパターンを有する靴型の斜視図を示す。
【図４】図４は、ある実施形態による足首のパディングパターン及び内部チャネルを有する靴型の側面図を示す。
【図５】図５は、ある実施形態によるアッパーの側面図を示す。
【図６】図６は、ある実施形態による中間足支持パターンを有する靴型の斜視図を示す。
【図７】図７は、ある実施形態による中間足支持パターン及び内部チャネルを有する靴型の側面図を示す。
【図８】図８は、ある実施形態による前足パターンを有する靴型の斜視図を示す。
【図９】図９は、ある実施形態による前足パターン及び内部チャネルを有する靴型の側面図を示す。
【図１０】図１０は、ある実施形態による内部チャネルを有する靴型の側面図を示す。
【図１１】図１１は、ある実施形態によるソールパターン及び内部チャネルを有する靴型の側面図を示す。
【図１２】図１２は、ある実施形態によるソールパターン及び内部チャネルを有する靴型の前面図を示す。
【図１３】図１３は、ある実施形態による履物の物品の側面図を示す。
【図１４】図１４は、ある実施形態によるモジュール付属物を有する靴型の斜視図を示す。
【図１５】図１５は、ある実施形態による履物の物品の側面図を示す。
【図１６】図１６は、ある実施形態によるアッパーの側面図を示す。
【発明を実施するための形態】
【００１４】
ここで、本発明は、添付図面に示すようにその実施形態を参照して詳細に説明され、同様の符号は一致する又は機能的に類似する要素を示すのに用いられる。「一実施形態」、「実施形態」、「例示の実施形態」などへの言及は、説明される実施形態が特定のフィーチャ、構造又は特徴を含み得るが、すべての実施形態が必ずしもその特定のフィーチャ、構造又は特徴を含まなくてもよいことを示す。さらに、そのような語句は、必ずしも同じ実施形態を言及していない。また、特定のフィーチャ、構造又は特徴が実施形態に関連して説明される場合には、明示されるか否かに関わらず、他の実施形態に関連してそのようなフィーチャ、構造又は特徴に影響を与えることは当業者の知識の範囲内であると考えられる。
【００１５】
ここで用いられる「発明」又は「本発明」の用語は、非限定的な用語であり、特定の発明のいずれか１つの実施形態のことを言う意図はないが、本出願に説明するような可能なすべての実施形態を含む。
【００１６】
以下の例は、本発明の限定ではなく例示的なものである。本分野で通常見られる多様な状況及びパラメータの適切な他の変形例及び適用例は、当業者には明らかであり、発明の趣旨及び範囲内のものである。
【００１７】
本発明の実施形態は、パディング及びミッドソール構造体を有する履物、パディング及びミッドソール構造体を作製する方法、並びにパディング及びミッドソール構造体を作製するための靴型を提供する。ある実施形態では、提供される履物は、運動靴であってもよい。例えば、提供される履物は、ランニングシューズ、サッカーシューズ、バスケットボールシューズ、フットボールシューズ、テニスシューズ又は他の任意の運動靴であり得る。ある実施形態では、提供される履物は、運動用ではない靴であってもよい。
【００１８】
ある実施形態では、１以上のチャネルによって接続される開口部を画定する靴型が提供される。ポリマー材料は、アッパーにおける種々の位置に構造体を形成するように、開口部及びチャネルを通じて注入され得る。例えば、履物の構成要素は、編み靴下などの３Ｄアッパー構成要素とその周辺に形成され得る。ある実施形態では、複雑な形状が、靴型の使用によりアッパーの内側及び／又は外側に形成可能である。ある実施形態では、靴型の外部のツール（すなわち、付属物）は、履物の構成要素を形成し、ポリマー材料をチャネルを通して送るのに役立ち得る。
【００１９】
ある実施形態では、靴型１０は、例えば図１に示すように、パディング及びミッドソール構造体を作るのに用いられる。構造体は、履物の物品のアッパー又はソールの一部として、快適性、フィット性、支持性、触覚フィードバック、剛性、柔軟性又は他の目的のために用いられ得る。ある実施形態では、靴型１０は、１以上のポート又は開口部１２、１３を含む（図３参照）。ある実施形態では、開口部１２は注入ポートを備える。ある実施形態では、開口部１３は排出ポートを備える。ある実施形態では、開口部１２、１３は、靴型１０における１以上のチャネル１１によって接続される（図４参照）。ある実施形態では、チャネル１１は、靴型１０の内部部分に配設される。ある実施形態では、チャネル１１及び開口部１２、１３は、ポリマー材料などの材料が流動し得る経路のネットワークを形成する。ある実施形態では、１以上のチャネル１１は、ある経路から他の経路に材料が流動し得るように交差し得る。
【００２０】
ある実施形態では、ポリマー材料は、軟性ノズルカバーを通じて注入開口部１２に転送される。軟性ノズルカバーは、シリコーン又は同様のエラストマー材料製であり得る。ある実施形態では、軟性ノズルカバーは、ノズルと注入開口部１２の間に気密シールを生成するように、注入開口部１２内で拡張する。ある実施形態では、他の装置又は方法は、ノズルと注入開口部１２の間にシールを生成するのに用いられ得る。例えば、Ｏリングが、ノズルと注入開口部１２の間のシールを促進させるのに用いられ得る。
【００２１】
ある実施形態では、注入開口部１２は、靴型１０の平坦面に配設される。ある実施形態では、注入開口部１２は、例えば図３に示すように、足型の上の靴型１０のアッパー部分に配設される。注入開口部１２の他の配置もまた可能である。排出開口部１３は、様々な位置（例えば、履物の構成要素が作られることが望まれるいずれかの箇所）に配設され得る。ある実施形態では、１以上の排出開口部１３は、靴型１０の外側に配設される。ある実施形態では、１以上の排出開口部１３は、靴型１０の内側に配設される。ある実施形態では、１以上の排出開口部１３は、靴型１０の底側に配設される。ある実施形態では、１以上の排出開口部１３は、靴型１０の上側（例えば、前足の上）に配設される。ある実施形態では、１以上の排出開口部１３は、靴型１０の踵エリアに配設される。ある実施形態では、１以上の排出開口部１３は、靴型１０のつま先エリアに配設される。これらの位置の組合せも、用いられ得る。排出開口部１３の他の配置もまた（例えば、バンプ、クォータ、タンなどにおいて）可能である。
【００２２】
ある実施形態では、注入開口部１２は靴型１０の上部に配設され、排出開口部１３は靴型１０の底部に配設される。ある実施形態では、注入開口部１２は靴型１０の底部に配設され、排出開口部１３は靴型１０の上部に配設される。ある実施形態では、注入開口部１２又は排出開口部１３は、靴型１０の上部と底部の間に配設される。
【００２３】
ある実施形態では、ポリマー材料は、ポリウレタン発泡体を備える。ある実施形態では、ポリウレタン発泡体（又は他のポリマー材料）は、単一密度であり得る。ある実施形態では、ポリウレタン発泡体（又は他のポリマー材料）は、複数密度の材料であり得る。ある実施形態では、ポリマー材料は、シリコーン、ウレタン、熱可塑性ポリウレタン、熱可塑性ポリマー、エラストマー又は他の液体プラスチックを備える。空気又は他のガスなどの他の材料はまた、チャネル１１及び開口部１２、１３を通じて注入され得る。例えば、特定の添加剤が、ポリマー材料の硬化処理を加速又は減速するようにポリマー材料とともに注入され得る。
【００２４】
ある実施形態では、靴型１０は、靴型１０の領域にエンボス加工及び／又は彫刻加工された１以上のパターンを含む。パターンは、踵領域、中間足領域及び前足領域の１以上に配設され得る。パターンは、靴型１０の上部、底部又は側部に配設され得る。
【００２５】
ある実施形態では、靴型１０は、靴型１０の外部面に１以上の彫刻加工されたフィーチャ１４（例えば、キャビティ又は凹部）を含む。ある実施形態では、靴型１０は、靴型１０の外部面に１以上のエンボス加工されたフィーチャ１５を含む。ある実施形態では、彫刻加工されたフィーチャ１４及び／又はエンボス加工されたフィーチャ１５は、靴型１０に種々のパターンを形成する。ある実施形態では、彫刻加工されたフィーチャ１４及び／又はエンボス加工されたフィーチャ１５は、排出開口部１３に又はその近くに配設される。ある実施形態では、排出開口部１３は、彫刻加工されたフィーチャ１４内に配設される。ある実施形態では、排出開口部１３は、エンボス加工されたフィーチャ１５によって囲まれる。ある実施形態では、エンボス加工されたフィーチャ１５のリッジ部、すなわち隆起した構造体４５（又は彫刻加工されたフィーチャ１４のエッジ部４４）は、閉じられたエリアを画定し、チャネル１１及び排出開口部１３を通じて注入される場合に、ポリマー材料のフラッシュを制御するのに役立ち得る。ある実施形態では、彫刻加工されたフィーチャ１４及び／又はエンボス加工されたフィーチャ１５は、例えば図１に示すように、凹状エリアを画定する。
【００２６】
ある実施形態では、彫刻加工されたフィーチャ１４及び／又はエンボス加工されたフィーチャ１５は、履物の構成要素の形成を促進させるように構成される。例えば、図１における靴型１０は、彫刻加工されたフィーチャ１４及びエンボス加工されたフィーチャ１５を有する足首のパディングパターン１６、並びに彫刻加工されたフィーチャ１４及びエンボス加工されたフィーチャ１５を有する中間足支持パターン１７を含む。ある実施形態では、足首のパディングパターン１６は、チャネル１１及び開口部１３を通じて注入されるポリマー材料で足首のパディング３６を形成するように構成される（図５参照）。ある実施形態では、中間足支持パターン１７は、チャネル１１及び開口部１３を通じて注入されるポリマー材料で中間足支持ケージ６７を形成するように構成される（図１６参照）。
【００２７】
ある実施形態では、彫刻加工されたフィーチャ１４は、内部パディング及び支持部を形成するのに用いられる。ある実施形態では、エンボス加工されたフィーチャ１５は、触覚テクスチャ及び／又は３Ｄデザインを与える構成要素を形成するのに用いられる。ある実施形態では、彫刻加工されたフィーチャ１４及び／又はエンボス加工されたフィーチャ１５は、外部構成要素を形成するのに用いられる。靴型１０のパターンは、彫刻加工されたフィーチャ１４のみ、エンボス加工されたフィーチャ１５のみ、又は彫刻加工されたフィーチャ１４及びエンボス加工されたフィーチャ１５の組合せで形成され得る。ある実施形態では、エンボス加工されたフィーチャ１５のエッジ部は、靴型１０に配設された３Ｄの履物アッパー構成要素の一部の周辺にシールを作り、ポリマー材料が彫刻加工されたフィーチャ１４及びエンボス加工されたフィーチャ１５の外側に染み出るのを防止する。
【００２８】
ある実施形態では、靴型１０は、足首のパディングパターン１６及び中間足の支持パターン１７の代わりに又はそれに加えて他のパターンを含み得る。さらに、ある実施形態では、足首のパディングパターン１６及び／又は中間足の支持パターン１７の異なる構成が用いられ得る。ある実施形態では、靴型１０は、靴型１０の先芯、バンプ、クォータ、タン又は他の領域にエンボス加工及び／又は彫刻加工されたパターンを含み得る。以下でより詳細に説明するように、靴型１０は、特注のパディング及び他の構造体を有する特注の履物の物品を提供するように構成され得る。したがって、多種多様な靴型の構成及びフィーチャが可能である。
【００２９】
ある実施形態では、靴型１０は、履物の物品及び履物の構成要素を作製するのに用いられる。例えば、履物の物品を作製するための方法２０が、図２に示される。以下で説明する方法２０の動作は、例示的なものである。ある実施形態では、追加の動作が、方法の一部であってもよい。ある実施形態では、図２に示す動作のすべてが完了するわけではない。ある実施形態では、動作の順序は、図２に示す順序とは異なっていてもよい。
【００３０】
ある実施形態では、動作２１では、着用者に関連付けられたデータが取得される。ある実施形態では、データは、着用者の足のデータ、性能データ、及び着用者に対してカスタマイズされた履物の物品を作るのに関連した他のデータを含む。ある実施形態では、データは、着用者の足プロファイルを評価するのに（例えば、カメラ及び／又はセンサを用いて）フットスキャンを実行することによって取得され得る。ある実施形態では、着用者の足接地プロファイルは、着用者に対する理想的プロファイルを生成するように（例えば、加速度計又は他のセンサを用いて）測定及び分析される。データは、他の方法で取得されてもよい。ある実施形態では、データは、小売り環境において取得され得る。ある実施形態では、データは、２０１７年４月４日に出願され、米国特許出願公開第２０１７／０２８０８２８Ａ１号として公開された米国特許出願第１５／４７８９０２号において説明するような態様で取得されてもよく、その開示はその全体においてここに参照として取り込まれる。これらの方法の１以上を用いて取得されるデータは、特定の着用者に対して履物の物品をカスタマイズするのに用いられ得る。
【００３１】
ある実施形態では、動作２２では、（靴型１０のような）靴型が作られる。ある実施形態では、靴型の構成は、動作２１で取得されたデータに基づく。したがって、靴型は特定の着用者に対してカスタマイズされ得る。ある実施形態では、靴型は、２０１７年４月４日に出願され、米国特許出願公開第２０１７／０２８０８２８Ａ１号として公開された米国特許出願第１５／４７８９０２号において説明するように、事前に規定されたデジタル靴型に基づいて作られ、その開示はその全体においてここに参照として取り込まれる。事前に規定されたデジタル靴型は、着用者の足データに基づいて変更され得る。
【００３２】
ある実施形態では、靴型には、ポリマー材料が注入され得る経路のネットワークを形成するように、（靴型１０に対して上記のもののような）開口部及びチャネルが作られる。ある実施形態では、靴型には、（靴型１０に対して上記のもののような）靴型におけるパターンが生成される。ある実施形態では、変更された靴型は、特定の着用者に対して、（パディングパターン又は支持パターンなどの）靴型におけるパターンと、さらにソールデザインとの配置を決定するのに用いられ得る。変更された靴型はまた、例えば、靴型におけるパターンの数、靴型におけるパターンのサイズ、及び靴型におけるパターンの形状を含む、靴型におけるパターンに対する他のパラメータを決定するのにも用いられ得る。
【００３３】
ある実施形態では、動作２３では、（アッパー３１のような（図５参照））アッパーが作られる。ある実施形態では、アッパーは、主にニット材料である。ある実施形態では、アッパーは、３Ｄニット材料製である。ある実施形態では、アッパーは、織り、不織、編み及び他の形式のテキスタイル材料製であり得る。ある実施形態では、アッパーは皮革製であり得る。ある実施形態では、アッパーの構成は、動作２１で取得されたデータに基づく。例えば、材料のタイプ、材料の物理的特性及び他のパラメータは、動作２１で取得されたデータに基づき得る。
【００３４】
ある実施形態では、動作２４では、アッパーが靴型に位置決めされる。ある実施形態では、アッパーは、その内部側が靴型に面する状態で靴型に位置決めされる。ある実施形態では、アッパーは、靴型に面するその外部側を有する（すなわち、裏表で）靴型に位置決めされる。
【００３５】
ある実施形態では、動作２５では、材料が靴型を通じて注入される。ある実施形態では、材料はポリマー材料である。ある実施形態では、２以上の材料が、同時に又は順番にいずれかで靴型を通じて注入される。ある実施形態では、材料は、注入開口部（例えば、開口部１２）を通じて注入される。ある実施形態では、注入開口部１２は、靴型１０の上面に配設される（図３参照）。ある実施形態では、材料は、注入開口部１２を通じて１以上のチャネル１１へと移動する。チャネル１１は、経路のネットワークを形成し、靴型１０の種々の領域において材料を１以上の排出開口部１３に転送し得る。
【００３６】
ある実施形態では、動作２６では、構造体（例えば、パディング、支持部、ミッドソールなど）が、アッパー（例えば、アッパー３１）においてポリマー材料から形成される。ある実施形態では、構造体は、アッパーの内部側に形成され得る。ある実施形態では、構造体は、アッパーの外部側に形成され得る。ある実施形態では、アッパーのパディング及びミッドソールなどの構造体は、単一の連続処理において形成される。ある実施形態では、構造体は同時に形成される。例えば、ミッドソール及び足首のパディングは、ポリマー材料の単回注入で同時に形成され得る。ある実施形態では、構造体は順番に形成され得る（例えば、足首のパディングが、ミッドソールの後に形成される）。ある実施形態では、構造体は、動作２１で取得されたデータに基づいてカスタマイズされる。例えば、構造体の位置、形状、サイズ及び／又は材料は、カスタマイズされ得る。
【００３７】
アッパーは、ここでは追加の構造体又は履物の構成要素を含み、構造体が形成された後に、靴型から除去され得る。上記のように、追加の動作が実行され得る。例えば、ある実施形態では、靴型は、注入が完了しアッパーが除去された後に、洗浄され得る。
【００３８】
種々の靴型、履物の構成要素及び履物の物品の例を、図３〜１３に示す。ある実施形態では、図３〜１３の靴型、履物の構成要素及び履物の物品に示されるフィーチャは、靴型、履物の構成要素及び履物の物品の他の変形を生じるように組み合わされ又は変更され得る。例えば、図３の足首のパディングパターン１６及び図６の中間足の支持パターン１７が、単一の靴型に含まれ得る。他の組合せ及び変形も可能である。これらの変形は、上記のように、特定の着用者に対するカスタマイズに依存し得る。
【００３９】
ある実施形態では、例えば図３及び４に示す靴型１０は、注入開口部１２及び排出開口部１３を含む。チャネル１１は、注入開口部１２を排出開口部１３と接続する。図４に示すように、チャネル１１は、靴型１０内に配設された（点線で示される）内部チャネルである。ある実施形態では、注入開口部１２、排出開口部１３及びチャネル１１は、ポリマー材料を靴型の種々の位置に方向付けるために、靴型を通じて経路のネットワークを形成する。ある実施形態では、注入開口部１２は、靴型１０の上部に、例えば、図３に示すように、着用者の足を収納するようにアッパーにおける開口部に関連付けられた靴型１０の部分に配設される。ある実施形態では、靴型１０は、例えば図４に示すように、注入開口部１２を囲む構造体４２を含む。構造体４２は、ポリマー材料を、それが注入開口部１２に浸入する直前に保持するように構成され得る。
【００４０】
ある実施形態では、靴型１０は、足首のパディングパターン１６を含む。図３は靴型１０における外側足首のパディングパターン１６を示すが、靴型１０は内側足首のパディングパターン１６を追加的又は代替的に含み得る。ある実施形態では、内側足首のパディングパターン１６は、靴型１０において外側足首のパディングパターン１６よりも高く配設され得る。ある実施形態では、足首のパディングパターン１６は、２つの排出開口部１３を含む。ある実施形態では、靴型１０は、注入開口部１２から下方に延在するチャネル１１を含む。ある実施形態では、チャネル１１は２つのチャネル１１に分かれ、一方が各排出開口部１３に対する。ある実施形態では、靴型１０が内側及び外側足首のパディングパターン１６を含む場合には、チャネル１１は４つのチャネル１１に分かれ得る。
【００４１】
異なる数及び構成のチャネル１１が、排出開口部１３の数及び位置に基づいて含まれる。ある実施形態では、足首のパディングパターン１６は、彫刻加工されたフィーチャ１４及びエンボス加工されたフィーチャ１５の双方を含む。ある実施形態では、足首のパディングパターン１６は、ポリマー材料がチャネル１１を通じて排出開口部１３に移動された場合に、足首のパディング３６を生じるように構成される（図５参照）。
【００４２】
ある実施形態では、靴型１０は、図５に示すように、アッパー３１を作製するのに用いられ得る。ベース層３２は、靴型１０の周辺に配置される。ある実施形態では、ベース層３２は、ニット又は織り材料などのテキスタイル材料を備える。ある実施形態では、ベース層３２は、三次元のニットテキスタイル材料を備える。ある実施形態では、ポリマー材料は、ベース層３２が靴型１０に配設される場合に、チャネル１１を通じて排出開口部１３に移動される。ある実施形態では、ポリマー材料は、それが足首のパディング３６を形成するように凝固又は硬化するとベース層３２に付着する。
【００４３】
ある実施形態では、ポリマー材料は、ベース層３２の外部面に足首のパディング３６を形成するようにベース層３２を通じて染み出る。ある実施形態では、ポリマー材料は、ベース層３２の内面に足首のパディング３６を形成する。ある実施形態では、ベース層３２は靴型１０の裏表に配置されてもよく、それにより足首のパディング３６は、ベース層３２を通過することなくベース層３２の外部面に形成される。足首のパディング３６が形成された後に、（ベース層３２及び足首のパディング３６を含む）アッパー３１は靴型１０から除去され得る。
【００４４】
ある実施形態では、例えば図６及び７に示すように靴型１０は、注入開口部１２、排出開口部１３、及び注入開口部１２を排出開口部１３に接続するチャネル１１を含む。図７に示すように、チャネル１１は、靴型１０内に配設された（点線で示される）内部チャネルである。ある実施形態では、注入開口部１２は、靴型１０の上部、例えば、図６に示すように、着用者の足を収納するようにアッパーにおける開口部に関連付けられた靴型１０の部分に配設される。ある実施形態では、靴型１０は、例えば図７に示すように、注入開口部１２を囲む構造体４２を含む。構造体４２は、ポリマー材料を、それが注入開口部１２に浸入する直前に保持するように構成され得る。
【００４５】
ある実施形態では、靴型１０は、中間足の支持パターン１７を含む。図６は靴型１０における外側中間足の支持パターン１７を示すが、靴型１０は内側中間足の支持パターン１７を追加的又は代替的に含み得る。ある実施形態では、中間足の支持パターン１７は、１つの排出開口部１３を含む。ある実施形態では、中間足の支持パターン１７は、２以上の排出開口部１３を含む。ある実施形態では、靴型１０は、注入開口部１２から直接排出開口部１３に延在するチャネル１１を含む。ある実施形態では、靴型１０が内側及び外側中間足の支持パターン１７を含む場合には、チャネル１１は２つのチャネル１１に分かれてもよく、一方が内側中間足の支持パターン１７に通じ、他方が外側中間足の支持パターン１７に通じる。ある実施形態では、中間足の支持パターン１７は、彫刻加工されたフィーチャ１４及びエンボス加工されたフィーチャ１５の双方を含む。ある実施形態では、中間足の支持パターン１７は、ポリマー材料がチャネル１１を通じて排出開口部１３に移動された場合には、中間足の支持ケージ６７を生じるように構成される（図１６参照）。
【００４６】
ある実施形態では、靴型１０は、足首のパディング３６を含むアッパー３１に関して上記と同様に、中間足の支持ケージ６７を含むアッパーを作製するのに用いられ得る。靴型１０はまた、中間足の支持ケージ６７及び足首のパディング３６の双方を有する（又は他の履物の構成要素を有する）アッパーを作製するのにも用いられ得る。
【００４７】
ある実施形態では、例えば図８及び９に示すように靴型１０は、注入開口部１２、排出開口部１３、及び注入開口部１２を排出開口部１３に接続するチャネル１１を含む。図９に示すように、チャネル１１は、靴型１０内に配設された（点線で示される）内部チャネルである。ある実施形態では、注入開口部１２は、靴型１０の上部、例えば、図８に示すように、着用者の足を収納するようにアッパーにおける開口部に関連付けられた靴型１０の部分に配設される。ある実施形態では、靴型１０は、例えば図９に示すように、注入開口部１２を囲む構造体４２を含む。構造体４２は、ポリマー材料を、それが注入開口部１２に浸入する直前に保持するように構成され得る。
【００４８】
ある実施形態では、靴型１０は、前足パターン１８を含む。前足パターン１８は、明瞭化のためにのみ平面図として図９に示される。前足パターン１８は、図８に示すように、前足領域において靴型１０の上部にわたって配設される。ある実施形態では、前足パターン１８は、１つの排出開口部１３を含む。ある実施形態では、前足パターン１８は、図８に示すように、２以上の排出開口部１３を含む。ある実施形態では、靴型１０は、注入開口部１２から直接排出開口部１３に延在するチャネル１１を含む。ある実施形態では、前足パターン１８は、彫刻加工されたフィーチャ１４及びエンボス加工されたフィーチャ１５の双方を含む。ある実施形態では、前足パターン１８は、ポリマー材料がチャネル１１を通じて排出開口部１３に移動された場合には、アッパーの前足の上に固有受容性フィーチャを生じるように構成される。
【００４９】
ある実施形態では、靴型１０は、足首のパディング３６を含むアッパー３１に関して上記と同様に、前足の固有受容性フィーチャを含むアッパーを作製するのに用いられ得る。靴型１０はまた、前足の固有受容性フィーチャ及び（中間足の支持ケージ６７及び／又は足首のパディング３６などの）追加の構成要素の双方を有するアッパーを作製するのにも用いられ得る。
【００５０】
ある実施形態では、例えば図１０〜１２に示すように靴型１０は、ソール３９を作製するのに用いられ得る。靴型１０は、１以上の注入開口部１２及び１以上の排出開口部１３を含み得る。ある実施形態では、靴型１０は２つの注入開口部１２を含み、各々靴型１０の上部、例えば、図１０に示すように、着用者の足を収納するようにアッパーにおける開口部に関連付けられた靴型１０の部分に位置決めされる。ある実施形態では、靴型１０は、靴型１０の底部分に配設された２つの排出開口部１３を含む。ある実施形態では、靴型１０は、注入開口部１２を排出開口部１３に接続する１以上のチャネル１１を含む。ある実施形態では、靴型１０は２つのチャネル１１を含む。図１０に示すように、チャネル１１は、靴型１０内に配設された（点線で示される）内部チャネルである。ある実施形態では、排出開口部１３は注入開口部１２の真下に配設され、それによりチャネル１１は、靴型１０が直立する場合には垂直となる。
【００５１】
ある実施形態では、ソール３９はミッドソールを備える。ある実施形態では、アッパーは（アッパー３１について上記のように）靴型１０において形成され、アッパーがさらに靴型１０に配設される間に、ソール３９は形成され得る。ある実施形態では、ポリマー材料は、ソール３９を形成するように（チャネル１１を通じて移動した後に）アッパーを通じて染み出す。
【００５２】
ある実施形態では、図１１及び１２に示すように、靴型１０は、ソールパターン１９を含む。ある実施形態では、ソールパターン１９は、靴型１０の底部分に配設される。ある実施形態では、ソールパターン１９は、靴型１０の長さの大部分及び靴型１０の幅の大部分に延在するキャビティを備える。ある実施形態では、ソールパターン１９は、インソールを形成するのに用いられ得る。ベース層は、（アッパー３１に関して上記のように）靴型１０の周辺に配置され得る。そして、ポリマー材料は、ベース層の内部側におけるソールパターン１９を充填するように１以上のチャネル１１を通じて移動され得る。図１１及び１２に示すように、チャネル１１は、靴型１０内に配設された（点線で示される）内部チャネルである。埋め込まれたインソールを有し結果として生じるアッパーは、履物の物品への組込みのために除去され得る。
【００５３】
（上記のように）靴型１０で作製される履物の物品３０を、例えば、図１３に示す。履物の物品３０は、アッパー３１及びソール３９を含む。ある実施形態では、アッパー３１は、ベース層３２及び１以上の履物の構成要素を含む。履物の構成要素は、上記の構成要素と、さらに上記の方法で作製された他の構成要素とを含む、内部又は外部構成要素であり得る。例えば、図１３において、アッパー３１は、内側足首のパディング３６を含む。ある実施形態では、足首のパディング３６及びミッドソール３９は、靴型１０を通じたポリマー材料の単回注入で形成される。したがって、足首のパディング３６及びソール３９は、アッパー３１に配設された単回注入ミッドソール及びパディングであり得る。単回注入ミッドソール及びパディングは、アッパー３１とは異なっていてもよい。
【００５４】
ある実施形態では、靴型１０を通じて注入されるポリマー材料による履物の構成要素を形成するのに役立つように、モジュール付属物が用いられる。例えば、図１４に示すように、モジュール付属物４０は、足首のパディングパターン１６を有する足首のパディング３６を形成するのに役立ち得る。ある実施形態では、モジュール付属物４０は、靴型１０の外面とインターフェース接続する。例えば、モジュール付属物４０の内面は、形状において靴型１０の外面に対応し得る。ある実施形態では、ベース層３２は、靴型１０とモジュール付属物４０の間に配設される。ある実施形態では、モジュール付属物４０は、内部の履物の構成要素をより良好に形成するように、ポリマー材料がベース層３２を通じて染み出るのを防止するのに役立つ。
【００５５】
モジュール付属物は、特定の着用者に対してより優れたカスタマイズを可能とするように種々の形状及びサイズであり得る。モジュール付属物の形状及びサイズは、作られている履物の構成要素の位置に依存し得る。モジュール付属物は、特定の履物の構成要素に対してパディングのレベルを調整するのに用いられ得る。
【００５６】
ある実施形態では、モジュール付属物４０は、その内面にフィーチャ（例えば、キャビティ又は凹部）を含み得る。ある実施形態では、この構成は、外部の履物の構成要素を形成することを促進させる。例えば、ポリマー材料は、ベース層３２を通じて染み出し、モジュール付属物４０におけるキャビティ又は凹部を充填し得る。キャビティ又は凹部の形状は、外部の履物の構成要素を所望の形状に成形する。
【００５７】
ある実施形態では、複数のモジュール付属物４０が用いられる。例えば、２つのモジュール付属物４０が、注入処理中に靴型１０を囲むように相互に取り付けられて、履物の構成要素を形成するのに役立ち得る。ある実施形態では、モジュール付属物は、靴型１０とベース層３２の間に配設され得る。
【００５８】
ある実施形態では、モジュール付属物は、靴型１０における所望の領域に及び、所望の領域からポリマー材料を迂回させ及び／又はチャネルを通して送るのに用いられる。ある実施形態では、モジュール付属物４０は、チャネルを含み得る。例えば、ポリマー材料は、履物の構成要素を形成するようにモジュール付属物４０を通じて注入され得る。
【００５９】
ある実施形態では、履物の物品５０は、例えば図１５に示すように、二重密度を有するソール５２で作製され得る。例えば、ソール５２は、第１密度の材料５３及び第２密度の材料５４で構成され得る。ある実施形態では、第１密度の材料５３及び第２密度の材料５４は、順番に（いずれの順序でも）靴型１０を通じて注入される。ある実施形態では、第１密度の材料５３及び第２密度の材料５４は、同時に注入される。
【００６０】
ある実施形態では、靴型１０の構成は、二重密度のソール５２を促進させる。例えば、靴型１０は、靴型の踵部分の排出口に方向付けられたチャネルを有する第１の開口部、及び靴型の前足部分の排出口に方向付けられたチャネルを有する第２の開口部を含み得る。異なる材料が、二重密度のソール５２を形成するように各チャネルを通じて方向付けられ得る。ある実施形態では、異なる材料は、二重密度のソール５２を形成するように単一のチャネルを通じて方向付けられ得る。
【００６１】
二重密度のソール５２（又は二重以上の密度を有するソール）を作ることによって、特定の着用者に対する履物の物品５０のカスタマイズが容易化する。
【００６２】
ある実施形態では、他の構成要素が、例えば図１６に示すように、２以上の材料で作製され得る。ある実施形態では、アッパー６１は、踵構成要素６５、つま先構成要素６６及び中間足支持ケージ６７を含む。踵構成要素６５、つま先構成要素６６及び中間足支持ケージ６７は各々、他の構成要路に関して上記のように、靴型１０を通じて注入される材料で形成され得る。ある実施形態では、踵構成要素６５、つま先構成要素６６及び中間足支持ケージ６７は各々、二重の密度を有する。例えば、踵構成要素６５、つま先構成要素６６及び中間足支持ケージ６７は、第１密度の材料６２及び第２密度の材料６３で構成され得る。ある実施形態では、第１密度の材料６２及び第２密度の材料６３は、順番に（いずれの順序でも）靴型１０を通じて注入される。ある実施形態では、第１密度の材料６２及び第２密度の材料６３は、同時に注入される。
【００６３】
ここで説明する種々の実施形態は、効率的でカスタマイズ可能でありかつ迅速な態様で履物の構成要素を成形することを可能とする向上した履物の製造を提供する。快適性、支持性、フィット性、剛性、柔軟性及び／又は触覚フィードバックのための内部及び／又は外部の履物の構成要素が、アッパーに直接生成され得る。これらの構成要素は、アッパーの種々のエリアへの経路（例えば、注入口、チャネル及び排出口）の内部ネットワークを有する靴型を通じて材料を注入することによって、カスタマイズされた態様で精密に形成され得る。靴型は、履物の構成要素を形成するように、その外面に彫刻加工及び／又はエンボス加工されたフィーチャを含み得る。ある実施形態では、モジュール付属物は、履物の構成要素の形成を支援するのに用いられ得る。他の変形例も可能である。例えば、靴型の代わりに、同様の足の形状又は成形ツールが、同様にして履物の構成要素を形成するのに利用され得る。
【００６４】
さらなる実施形態では、履物の物品を製造する方法は、靴型にアッパーを位置決めするステップであって、靴型は靴型における１以上のチャネルによって接続された開口部を画定する、ステップと、靴型における１以上のチャネルを通じて材料を注入するステップと、その材料でアッパーに構造体を形成するステップとを備える。
【００６５】
さらなる実施形態では、構造体はミッドソールを備える。
【００６６】
さらなる実施形態では、構造体はアッパーのパディングを備える。
【００６７】
さらなる実施形態では、開口部は、靴型の上部に注入口及び靴型の底部に排出口を備える。
【００６８】
さらなる実施形態では、方法は、着用者に関連付けられたデータに基づいて構造体をカスタマイズするステップをさらに備える。
【００６９】
さらなる実施形態では、靴型は、靴型の底部分にキャビティを画定する。
【００７０】
さらなる実施形態では、キャビティは、靴型の長さの大部分及び靴型の幅の大部分に延在する。
【００７１】
さらなる実施形態では、アッパーに構造体を形成するステップは、キャビティにインソールを形成するステップを備える。
【００７２】
さらなる実施形態では、靴型は、彫刻加工されたフィーチャ及びエンボス加工されたフィーチャの少なくとも一方を有するパターンを備える。
【００７３】
さらなる実施形態では、履物の物品を製造する方法は、靴型にアッパーを位置決めするステップと、靴型を通じて材料を注入するステップと、単一の連続処理において材料でアッパーのパディング及びミッドソールを形成するステップとを備える。
【００７４】
さらなる実施形態では、方法は、靴型を通じて第２の材料を注入するステップをさらに備える。
【００７５】
さらなる実施形態では、方法は、アッパーのパディングを成形するようにモジュール付属物を用いるステップをさらに備える。
【００７６】
さらなる実施形態では、方法は、着用者に関連付けられた足のデータを取得するステップをさらに備える。
【００７７】
さらなる実施形態では、方法は、ミッドソール及びアッパーのパディングをカスタマイズするように着用者に関連付けられた足のデータを用いるステップをさらに備える。
【００７８】
さらなる実施形態では、履物の物品は、アッパー、並びにアッパーに配設された単回注入ミッドソール及びパディングを備え、単回注入ミッドソール及びパディングがアッパーとは異なる。
【００７９】
さらなる実施形態では、パディングは、アッパーの外側に配設される。
【００８０】
さらなる実施形態では、パディングは、アッパーの内側に配設される。
【００８１】
さらなる実施形態では、パディングは、着用者に関連付けられた足のデータに基づいてカスタマイズされる。
【００８２】
さらなる実施形態では、ミッドソールは複数の材料を備える。
【００８３】
さらなる実施形態では、ミッドソールは複数密度の材料を備える。
【００８４】
特定の実施形態の前述の説明は、本技術の技能内の知識を適用することによって、他者が、過度な実験を要することなく、本発明の一般的な概念から逸脱することなく、そのような特定の実施形態を種々の用途に対して直ちに変更し及び／又は適合することができる発明の一般的性質を相当完全に明らかにする。したがって、そのような適合及び変更は、ここで提示される教示及びガイダンスに基づいて、開示される実施形態の意味するもの及び均等物の範囲内となるように意図される。ここでの文言又は技術用語は、本明細書の技術用語又は文言が教示及びガイダンスの観点において当業者によって解釈されるものとなるように、説明を目的とし限定的ではないことが分かるはずである。
【００８５】
本発明の拡がり及び範囲は上記の任意の例示的な実施形態によって限定されるべきでなく、以下の特許請求の範囲及びそれらの均等物によってのみ規定されるべきである。
【００８６】
本発明は、以下の実施形態を含む。
【００８７】
［１］
履物の物品を製造する方法であって、
靴型にアッパーを位置決めするステップであって、前記靴型は該靴型における１以上のチャネルによって接続された開口部を画定する、ステップと、
前記靴型における前記１以上のチャネルを通じて材料を注入するステップと、
前記材料で前記アッパーに構造体を形成するステップと
を備える方法。
［２］
前記構造体がミッドソールを備える、［１］の方法。
［３］
前記構造体がアッパーのパディングを備える、［１］の方法。
［４］
前記開口部が、前記靴型の上部に注入口及び前記靴型の底部に排出口を備える、［１］の方法。
［５］
着用者に関連付けられたデータに基づいて、前記構造体をカスタマイズするステップをさらに備える［１］の方法。
［６］
前記靴型が前記靴型の底部分にキャビティを画定する、［１］の方法。
［７］
前記キャビティが、前記靴型の長さの大部分及び前記靴型の幅の大部分に延在する、［６］の方法。
［８］
前記アッパーに前記構造体を形成するステップが、前記キャビティにインソールを形成するステップを備える、［７］の方法。
［９］
前記靴型が、彫刻加工されたフィーチャ及びエンボス加工されたフィーチャの少なくとも一方を有するパターンを備える、［１］の方法。
［１０］
履物の物品を製造する方法であって、
靴型にアッパーを位置決めするステップと、
前記靴型を通じて材料を注入するステップと、
単一の連続処理において前記材料でアッパーのパディング及びミッドソールを形成するステップと
を備える方法。
［１１］
前記靴型を通じて第２の材料を注入するステップをさらに備える［１０］の方法。
［１２］
前記アッパーのパディングを成形するようにモジュール付属物を用いるステップをさらに備える［１０］の方法。
［１３］
着用者に関連付けられた足のデータを取得するステップをさらに備える［１０］の方法。
［１４］
前記ミッドソール及び前記アッパーのパディングをカスタマイズするように、前記着用者に関連付けられた前記足のデータを用いるステップをさらに備える［１３］の方法。
［１５］
アッパーと、
前記アッパーに配設された単回注入ミッドソール及びパディングと
を備えた履物の物品であって、
前記単回注入ミッドソール及びパディングが前記アッパーとは異なる、履物の物品。
［１６］
前記パディングが前記アッパーの外側に配設される、［１５］の履物の物品。
［１７］
前記パディングが前記アッパーの内側に配設される、［１５］の履物の物品。
［１８］
前記パディングが、着用者に関連付けられた足のデータに基づいてカスタマイズされる、［１５］の履物の物品。
［１９］
前記ミッドソールが複数の材料を備える、［１５］の履物の物品。
［２０］
前記ミッドソールが複数密度の材料を備える、［１５］の履物の物品。
【図１】
2020015317.tif 000003
【図２】
2020015317.tif 000004
【図３】
2020015317.tif 000005
【図４】
2020015317.tif 000006
【図５】
2020015317.tif 000007
【図６】
2020015317.tif 000008
【図７】
2020015317.tif 000009
【図８】
2020015317.tif 000010
【図９】
2020015317.tif 000011
【図１０】
2020015317.tif 000012
【図１１】
2020015317.tif 000013
【図１２】
2020015317.tif 000014
【図１３】
2020015317.tif 000015
【図１４】
2020015317.tif 000016
【図１５】
2020015317.tif 000017
【図１６】
2020015317.tif 000018
【外国語明細書】
2020015317000001.pdf